(57)【要約】  コンテンツ送信装置は、デジタルコンテンツをデジタル通信Ｉ／Ｆにより暗号化してコンテンツ受信装置に送信し、低解像度のコンテンツを第一の暗号処理により暗号化する第一の暗号化処理手段と、高解像度のコンテンツを第二の暗号処理により暗号化する第二の暗号化処理手段と、高解像度のコンテンツを低解像度のコンテンツにダウンコンバートするダウンコンバート手段とを有している。そして、デジタル受信装置から、デジタル受信装置の暗号化処理に関する情報を受信し、デジタル受信装置が、第二の暗号処理をサポートしているときに、第二の暗号化処理手段により暗号化して、高解像度のコンテンツを送信し、デジタル受信装置が第二の暗号処理をサポートしていないときには、高解像度のコンテンツをダウンコンバートして、ダウンコンバートしたコンテンツを第一の暗号処理により暗号化して、送信する。
2017138075.tif 000002
【特許請求の範囲】
【請求項１】
コンテンツをコンテンツ受信装置に送信するコンテンツ送信装置であって、
前記コンテンツを第一の暗号処理により暗号化する第一の暗号化処理手段と、
前記コンテンツを前記第一の暗号処理とは異なる第二の暗号処理により暗号化する第二の暗号化処理手段と、
前記コンテンツをコンバートするコンバート手段とを有し
前記コンテンツ受信装置から、前記コンテンツ受信装置の暗号処理に関する情報を受信し、
前記コンテンツ受信装置が前記第二の暗号処理をサポートしている場合、前記第二の暗号化処理手段により暗号化して、前記コンテンツを送信し、
前記コンテンツ受信装置が前記第二の暗号処理をサポートしていない場合、前記コンテンツを前記第一の暗号処理に適合するようにコンバートして、該コンバートしたコンテンツを前記第一の暗号処理により暗号化して、前記コンテンツを送信することを特徴とするコンテンツ送信装置。
【請求項２】
前記第一の暗号処理は、前記第二の暗号処理が対象とするコンテンツに対して低解像度のコンテンツを暗号化する処理であり、
前記コンバートは、コンテンツをダウンコンバートする処理であることを特徴とする請求項1記載のコンテンツ送信装置。
【請求項３】
前記コンテンツ受信装置から、機器の情報を受信する受信手段と、
受信した機器の情報を表示する表示手段と、
表示された情報に対応するコンテンツ受信装置の内で、選択されたコンテンツ受信装置にコンテンツを送信する送信手段を有することを特徴とする請求項１記載のコンテンツ送信装置。
【請求項４】
コンテンツの同時放送に関する情報を保持し、
前記デジタル受信装置が前記第二の暗号処理をサポートしていないときに、前記コンテンツの同時放送に関する情報を参照し、前記第一の暗号処理に適合する形態での対応したコンテンツの同時放送があるか否かを判定し、
第一の暗号処理に適合する形態での対応したコンテンツの同時放送があるときには、前記コンテンツの同時放送を受信し、前記第一の暗号処理により暗号化して、前記コンテンツを送信することを特徴とする請求項１記載のコンテンツ送信装置。
【請求項５】
対象物の画像を取得して距離を求める距離画像センサと、
画像よりからコンテンツ受信装置のメーカ名、型式、デバイス種別を求めるモニタ識別手段と、
前記モニタ識別手段により識別されたコンテンツ受信装置をアイコン化して表示する表示手段とを有し、
前記表示手段は、コンテンツ受信装置のアイコンを、前記距離画像センサにより取得した距離とともに表示し、
前記機器の情報を受信する受信手段により、受信した機器の情報と、コンテンツ受信装置のアイコンを対応付けて表示し、前記コンテンツ受信装置のアイコンを対応付けられたコンテンツ受信装置の内で選択されたコンテンツ受信装置に、前記コンテンツを送信することを特徴とする請求項３記載のコンテンツ送信装置。
【請求項６】
コンテンツをコンテンツ送信装置からコンテンツ受信装置に送信するコンテンツ送信方法であって、
前記コンテンツ送信装置は、
第一の暗号処理により暗号化する第一の暗号化処理手段と、
前記コンテンツを前記第一の暗号処理とは異なる第二の暗号処理により暗号化する第二の暗号化処理手段と、
前記コンテンツをコンバートするコンバート手段とを有し
前記コンテンツ送信装置が、前記コンテンツ受信装置から、前記コンテンツ受信装置の暗号処理に関する情報を受信するステップと、
前記コンテンツ送信装置が、前記コンテンツ受信装置が前記第二の暗号処理をサポートしている場合、前記第二の暗号化処理手段により暗号化して、前記コンテンツを送信するステップと、
前記コンテンツ送信装置が、前記コンテンツ受信装置が前記第二の暗号処理をサポートしていない場合、前記コンテンツを前記第一の暗号処理に適合するようにコンバートするステップと、
前記コンテンツ送信装置が、該コンバートしたコンテンツを前記第一の暗号処理により暗号化して、前記コンテンツを送信することを特徴とするコンテンツ送信方法。
【請求項７】
前記第一の暗号処理は、前記第二の暗号処理が対象とするコンテンツに対して低解像度のコンテンツを暗号化する処理であり、
前記コンバートは、コンテンツをダウンコンバートする処理であることを特徴とする請求項６記載のコンテンツ送信方法。
【請求項８】
前記コンテンツ送信装置が、前記コンテンツ受信装置から、機器の情報を受信するステップと、
受信した機器の情報を表示するステップと、
表示された情報に対応するコンテンツ受信装置の内で、選択されたコンテンツ受信装置に、前記コンテンツを送信するステップとを有することを特徴とする請求項６記載のコンテンツ送信方法。
【請求項９】
前記コンテンツ送信装置は、コンテンツの同時放送に関する情報を保持し、
前記コンテンツ送信装置が、前記デジタル受信装置が前記第二の暗号処理をサポートしていないときに、前記コンテンツの同時放送に関する情報を参照し、前記第一の暗号処理に適合する形態での対応したコンテンツの同時放送があるか否かを判定するステップと、
前記コンテンツ送信装置が、第一の暗号処理に適合する形態での対応したコンテンツの同時放送があるときには、前記コンテンツの同時放送を受信するステップと、
前記コンテンツ送信装置が、前記受信したコンテンツを前記第一の暗号処理により暗号化して、送信するステップとを有することを特徴とする請求項６記載のコンテンツ送信方法。
【請求項１０】
前記コンテンツ送信装置は、
対象物の画像を取得して距離を求める距離画像センサと、
画像よりからコンテンツ受信装置のメーカ名、型式、デバイス種別を求めるモニタ識別手段と、
前記モニタ識別手段により識別されたコンテンツ受信装置をアイコン化して表示する表示手段とを有し、
前記表示手段が、コンテンツ受信装置のアイコンを、前記距離画像センサにより取得した距離とともに表示するステップと、
前記表示手段が、受信した機器の情報と、コンテンツ受信装置のアイコンを対応付けて表示するステップと
前記コンテンツ送信装置が、前記コンテンツ受信装置のアイコンを対応付けられたコンテンツ受信装置の内で選択されたコンテンツ受信装置に、前記コンテンツを送信することを特徴とする請求項８記載のコンテンツ送信方法。
【発明の詳細な説明】
【技術分野】
【０００１】
本発明は、コンテンツ送信装置、および、そのコンテンツ送信方法に係り、特に、コンテンツ受信側の機能に応じて、セキュアにコンテンツを送信するのに好適なコンテンツ送信装置、および、そのコンテンツ送信方法に関する。
【背景技術】
【０００２】
近年、電子技術、通信技術の進歩により、家庭内で構築されたホームネットワーク上で、手軽にデジタルコンテンツを楽しめるようになってきている。デジタルコンテンツは、ユーザに対して高精細で美しい画像を提供でき、様々な付随した情報サービスを提供できるというメリットがある。一方、アナログデータのコピーとは違い、デジタルコンテンツは、デジタル処理によってコピーする場合に画質が劣化することはない。そのため、違法コピーを防ぐためにいかにして、著作権保護をおこなうかが問題となる。【０００３】
このように、著作権保護の観点から、違法コピーを防ぐために定められた規格として、ＤＴＣＰ（Digital Transmission Content Protection）がある。ＤＴＣＰは、ホームネットワーク／パーソナルネットワーク内での音声・映像のコピー防止の目的で使用される著作権保護方式であり、主にデジタル機器間で画像・音声データを共有するための相互接続ガイドラインであるＤＬＮＡ（Digital Living Network Alliance）と共に使用される。ＤＴＣＰは、デジタル機器間で共通鍵を交換することにより、暗号化をおこなう共通鍵暗号方法を利用している。デジタル機器間で、共通鍵によりデジタルデータを送受信する技術についは、例えば、特許文献１に開示がある。【０００４】
一方、スマートフォンの高機能化により、スマートフォンにより、家電を制御したり、デジタルコンテンツを配信しようとするスマートフォンと家電の連携機能が注目されている。このコンテンツ送信に関連する技術に関して、特許文献２には、ユーザに、スマートフォン（携帯電話端末）により、外部出力装置（ＴＶなど）を選択させ、選択された外部出力装置の処理能力とその出力装置を識別する識別情報を特定する。そして、外部出力装置の処理能力に適したコンテンツを当該外部出力装置へ送信するようにホームサーバに対して要求し、それに応じてホームサーバから送信されたコンテンツを外部出力装置が受信して画像出力する技術が開示されている。
【先行技術文献】
【特許文献】
【０００５】
【特許文献１】特開２００７−１７４２４９号公報
【特許文献２】特開２０１２−４３４６４号公報
【発明の概要】
【発明が解決しようとする課題】
【０００６】
デジタル技術の進展に伴い、現行のＨＤテレビ放送に比べ映像・動画の解像度（画素数）が高い規格（４Ｋ／８Ｋ）が策定され、部分的に４K放送が開始している。現行のＦｕｌｌ  ＨＤ（２Ｋ）規格では、画素数が１９２０×１０８０（１０８０ｉ，１０８０ｐ）であるが、４Ｋ  ＵＨＤ規格では、画素数が３８４０×２１６０（２１６０ｐ）であり、さらに、８Ｋ  ＵＨＤ規格では、画素数が７６８０×４３２０（４３２０ｐ）にもなる。また、光ディスク関係の次世代規格としては、ＵＨＤ  ＢＤ（Ｕｌｔｒａ  ＨＤ  Ｂｌｕ−ｒａｙ）（登録商標）があり、画素数として、３８４０×２１６０（２１６０ｐ）が規定されている。【０００７】
このような映像コンテンツの高画質化に伴って、著作権保護をしつつ、任意のモニタ装置に、表示して視聴する仕組みを構築することが重要になる。また、ＰＣ（Personal Computer）、タブレット、スマートフォンの低価格化、普及により、一般家庭にもモニタを備えたデジタル機器が複数存在するようになっており、従来のＦｕｌｌ  ＨＤ（２Ｋ）規格によるコンテンツ（以下、「２Ｋコンテンツ」などという）と、新規格の４Ｋ／８Ｋ規格によるコンテンツが混在する中で、どのように、複数のデジタル機器に表示させるかが問題となる。【０００８】
コンテンツ提供元は、プレミアムサービス等の目的で、高画質な４Ｋ／８Ｋコンテンツを従来のコンテンツとは区別して、視聴／コピー制限をおこないたいという要望がある。一方、放送やインターネット経由で著作権保護対象の４Ｋ／８Ｋコンテンツを受信した装置（コンテンツ送信装置）は、コンテンツ提供元の意向に従い、これらのコンテンツを安全に他の装置（コンテンツ受信装置）へ送信する必要がある。【０００９】
さらに、家庭内やオフィス内に受信したコンテンツを表示する装置が複数存在する場合には、コンテンツ送信装置は、４Ｋ／８Ｋコンテンツを所望の装置で簡単に視聴したいという要請がある。【００１０】
上記従来技術の特許文献１では、著作権保護対象コンテンツのＤＴＣＰによる暗号化した伝送方法については記載されているが、４Ｋ／８Ｋコンテンツといった品質の異なる複数のコンテンツを区別して扱うための伝送技術については考慮されていない。また、特許文献２では、出力先の処理能力に応じた外部出力装置を選択することが可能であるが、暗号化処理についは考慮されていない。【００１１】
本発明は、上記問題点を解決するためになされたもので、その目的は、複数の異なる品質のコンテンツを表示するデジタル機器が混在する環境において、コンテンツ受信側の機能に応じて、セキュアにコンテンツを送信することを可能にし、しかも、従来の品質のコンテンツしか表示できない受信装置に、新規格の高画質のコンテンツを表示することを可能にするスマートフォンなどのコンテンツ送信装置を提供することにある。
【課題を解決するための手段】
【００１２】
上記目的を達成するために、本発明のコンテンツ送信装置の構成は、デジタルコンテンツをコンテンツ受信装置に送信するコンテンツ送信装置であって、デジタルコンテンツをデジタル通信Ｉ／Ｆ（InterFace）により暗号化して送信する手段と、低解像度のコンテンツを第一の暗号処理により暗号化する第一の暗号化処理手段と、高解像度のコンテンツを第二の暗号処理により暗号化する第二の暗号化処理手段と、高解像度のコンテンツを低解像度のコンテンツにダウンコンバートするダウンコンバート手段とを有している。そして、デジタル受信装置から、デジタル受信装置の暗号化処理に関する情報を受信し、デジタル受信装置が、第二の暗号処理をサポートしているときに、第二の暗号化処理手段により暗号化して、高解像度のコンテンツを送信し、デジタル受信装置が第二の暗号処理をサポートしていないときには、高解像度のコンテンツをダウンコンバートして、ダウンコンバートしたコンテンツを第一の暗号処理により暗号化して、送信する。
【発明の効果】
【００１３】
本発明によれば、複数のコンテンツを表示するデジタル機器が混在する環境において、コンテンツ受信側の機能に応じて、セキュアにコンテンツを送信することを可能にし、しかも、従来の規格のコンテンツしか表示できない受信装置に、新規格の高画質のコンテンツを表示することを可能にするスマートフォンなどのコンテンツ送信装置を提供することができる。
【図面の簡単な説明】
【００１４】
【図１】ホームネットワークとそれに関係するコンポーネントの概要図である。
【図２】スマートフォン（コンテンツ送信装置）の構成図である。
【図３】レコーダ内蔵テレビジョン受信機（コンテンツ送受信装置）の構成図である。
【図４】テレビジョン受信機（コンテンツ受信装置）の構成図である。
【図５】コンテンツ送信装置におけるデータフロー図である。
【図６】コンテンツ受信装置での機能とデータフロー図である。
【図７Ａ】暗号処理Ｉサポートのコンテンツ送信パケットの一例を示す図である。
【図７Ｂ】暗号処理ＩＩサポートのコンテンツ送信パケットのヘッダ部の一例を示す図である。
【図７Ｃ】暗号処理ＩＩサポートにおける拡張コピー制御情報の一例を示す図である。
【図７Ｄ】図７Ｂに示したフォーマットに従い、ＨＴＴＰプロトコルを利用してコンテンツを伝送する場合のデータの一例を示す図である。
【図８Ａ】機器情報定義テーブルの一例を示す図である。
【図８Ｂ】機器制御情報テーブルの一例を示す図である。
【図８Ｃ】機器情報テーブルの一例を示す図である。
【図９Ａ】コンテンツ利用記述子の一例を示す図である。
【図９Ｂ】デジタルコピー制御記述子の一例を示す図である。
【図９Ｃ】ダウンコンバート制限記述子の一例を示す図である。
【図１０】デジタルコンテンツ出力制御テーブルの一例を示す図である。
【図１１】デジタルコンテンツ記録制御テーブルの一例を示す図である。
【図１２】コンテンツ送信装置からコンテンツ受信装置にコンテンツを伝送するときのゼネラルフローチャートである。
【図１３】機器情報取得処理のシーケンス図である。
【図１４】機器認証処理のシーケンス図である。
【図１５】機器情報を表示するユーザインタフェースの一例を示す図である。
【図１６】コンテンツ視聴・送信アプリのユーザインタフェースの一例を示す図である。
【発明を実施するための形態】
【００１５】
以下、本発明に係る一実施形態を、図１ないし図１６を用いて説明する。
【００１６】
先ず、図１ないし図５を用いて一実施形態に係るホームネットワークとそれに関係するコンポーネントの構成について説明する。
図１は、ホームネットワークとそれに関係するコンポーネントの概要図である。
図２は、スマートフォン（コンテンツ送信装置）の構成図である。
図３は、レコーダ内蔵テレビジョン受信機（コンテンツ送受信装置）の構成図である。
図４は、テレビジョン受信機（コンテンツ受信装置）の構成図である。
図５は、コンテンツ送信装置におけるデータフロー図である。
【００１７】
本実施形態では、コンテンツ送信装置が、４Ｋ／８Ｋコンテンツを受信して、そのままの解像度で、あるいは、コンテンツ受信装置の機能に応じて、それをダウンコンバートして、コンテンツ送信装置にコンテンツ送信方法について説明する。
【００１８】
本実施形態のホームネットワークには、図１に示されるように、一つの家庭内に携帯機器としてのスマートフォン１００、タブレット５０があり、レコーダ内蔵テレビジョン受信機２００、テレビジョン受信機３００、ノートパソコン４００が置かれているものとする。
【００１９】
そして、スマートフォン１００、タブレット５０は、コンテンツ送信装置として機能し、テレビジョン受信機３００、ノートパソコン４００は、コンテンツ受信装置として機能し、レコーダ内蔵テレビジョン受信機２００は、それらの両方の機能を有するコンテンツ送受信機能として機能するものとする。
【００２０】
ネットワーク構成としては、無線アクセスポイント２０、ルータ１２、ハブ１１、レコーダ内蔵テレビジョン受信機２００、テレビジョン受信機３００が有線で接続されており、スマートフォン１００、タブレット５０、ノートパソコン４００は、IEEE 802.11a/b/g/n/ac規格などの無線ＬＡＮ規格により、無線ＬＡＮ（Ｗｉｆｉ）により通信をおこなう。
【００２１】
コンテンツの提供に関しては、放送局５が発信する放送電波を、アンテナ４２が受信して、レコーダ内蔵テレビジョン受信機２００、テレビジョン受信機３００に配信する。放送局５が発信する放送電波をスマートフォン１００、タブレット５０が受信することもできる。また、コンテンツ提供サーバ６がインターネット６０を介して、ルータ１２、ハブ１１という経路で、レコーダ内蔵テレビジョン受信機２００、テレビジョン３００に、コンテンツを配信する。また、コンテンツ提供サーバ６は、基地局７からＬＴＥ回線などの無線回線（Long Term Evolution）により、スマートフォン１００、タブレット５０にコンテンツを配信することもできる。
【００２２】
スマートフォン１００、タブレット５０は、放送局５が配信する４Ｋ／８Ｋコンテンツ、２Ｋコンテンツを受信して、レコーダ内蔵テレビジョン受信機２００、テレビジョン受信機３００に配信することが可能である。
【００２３】
一方、レコーダ内蔵テレビジョン受信機２００は、４Ｋ／８Ｋコンテンツを受信して、表示可能であり、テレビジョン受信機３００は、２Ｋコンテンツのみ受信して、表示可能であるものとする。
【００２４】
ネットワークにおいては、ネットワークプロトコルとして標準のＩＰ（Internet Protocol）を使用し、上位のトランスポートプロトコルにはＴＣＰ（Transmission Control Protocol）およびＵＤＰ（User Datagram Protocol）を用いる。コンテンツの伝送には、さらに上位のアプリケーションプロトコル、例えばＲＴＰ（Real-time Transport Protocol）やＨＴＴＰ（Hyper Text Transfer Protocol）、ＦＴＰ（File Transfer Protocol）等が使用される。
【００２５】
スマートフォン１００、タブレット５０、レコーダ内蔵テレビジョン受信機２００、テレビジョン受信機３００、ノートパソコン４００、ルータ１２はそれぞれＩＰネットワーク上で自身を識別するＩＰアドレスを所有する。また、各々のネットワーク通信処理回路のインタフェース部には４８ビットのＭＡＣ（Media Access Control）アドレスが与えられている。各装置へのＩＰアドレスの設定は、ＤＨＣＰ（Dynamic Host Configuration Protocol）により、例えばルータ１２をＤＨＣＰサーバとして動作させ、ここから各装置のＩＰアドレスを割り振るようにすればよい。
【００２６】
スマートフォン１００は、図２に示されるように、ハードウェアとして、ＣＰＵ（Central Processor Unit）１０２、メインメモリ１０４、無線ＬＡＮ部１０６、ＲＦ部１０８、ベースバンドプロセッサ１１０、チューナ１１２、デマルチプレクサ１１４、デコーダ１１６、ＨＤＭＩ出力部１１８、ディスプレイＩ／Ｆ（InterFace）１２０、オーディオＩ／Ｆ１３０、カメラ１４０、ＧＰＳ１４２、近距離センサ１４４、加速度センサ１４６、近距離無線部１４８、フラッシュメモリ１５０が、バスで結合されて構成されている。また、ディスプレイＩ／Ｆ１０５には、ディスプレイ１２２とタッチパネル１２４が接続され、オーディオＩ／Ｆ１０９には、スピーカ１３２とマイク１３４が接続されている。
【００２７】
ＣＰＵ１００は、スマートフォン１００の各部を制御し、メインメモリ１０４上にロードされるコンテンツ送信のためのプログラムを実行する演算・制御のためのユニットである。ＣＰＵ１００は、フラッシュメモリ１５０に格納されるプログラムをメインメモリ１０４に読み込み実行することにより、種々の処理をおこなう。これらのプログラムやデータは、予めフラッシュメモリ１５０に格納しておいてもよいし、ＵＳＢメモリ等の記憶媒体から入力してもよいし、ネットワーク経由で外部のサーバなどからダウンロードしてもよい。また、そのプログラムにより実現される機能を、専用のハードウェアにより実現してもよい。
【００２８】
メインメモリ１０４は、フラッシュメモリ１５０に記憶されているプログラムをロードして一時的に保管したり、ワークデータを記憶する記憶装置である。
【００２９】
無線ＬＡＮ部１０６は、無線ＬＡＮの規格（例えば、IEEE 802.11 a/b/g/n/acなど）により、近隣の無線アクセスポイント２０と通信をおこなう部分である。
【００３０】
ＲＦ部１０８は、ベースバンドプロセッサ１１０の信号を無線帯域の高周波信号に変換したり、逆に、無線帯域の高周波信号を、ベースバンドプロセッサ１１０の信号に変換するためのインタフェース装置である。スマートフォン１００は、ＲＦ部１０８を介して、３Ｇ回線や４Ｇ回線により基地局７を介して通信したり、インターネット６０により、コンテンツ提供サーバ６と通信し、コンテンツをダウンロードすることができる。
【００３１】
ベースバンドプロセッサ１１０は、スマートフォン１００の通信や通話に関するモジュールを制御するプロセッサである。
【００３２】
チューナ１１２は、放送局５（コンテンツ提供元）が配信するデジタル放送サービス（地上波放送、衛星放送など）のコンテンツをスマートフォン１００の内部アンテナを介して受信し、複数のチャンネルから所望のチャンネルを選局し、デジタル変調された番組を復調する。また、必要に応じて、後述する暗号/復号プログラムを用いてコンテンツ提供元と契約したチャンネルのみを受信可能とするために実施されている番組のスクランブルを解除する。本実施形態のスマートフォン１００のチューナ１１２は、４Ｋ／８Ｋコンテンツに対する放送、ＳＤ／ＨＤ／Ｆｕｌｌ ＨＤなどの従来コンテンツに対する放送を扱える４Ｋ／８Ｋチューナ１１２ａ、２Ｋチューナ１１２ｂを共に有するものとする。
【００３３】
デマルチプレクサ１１４は、放送番組から音声データ、映像データ、番組情報、データ、コピー制御情報などを抽出する部分である。
【００３４】
デコーダ１１６は、チューナ１１２経由で入力された放送番組やフラッシュメモリ１５０に蓄積されたコンテンツに含まれる圧縮された音声データや映像データを復号して、元の音声信号、映像信号に伸長する部分である。本実施形態のスマートフォン１００のデコーダ１１６は、４Ｋ／８Ｋコンテンツに対する放送、従来コンテンツに対する放送を扱える４Ｋ／８Ｋデコーダ１１６ａ、２Ｋデコーダ１１６ｂを共に有するものとする。
【００３５】
ＨＤＭＩ（登録商標）（High-Definition Multimedia Interface）出力部１１８は、デジタルデータをＨＤＭＩの信号に変換して出力する部分である。図２では有線を示しているが、無線でも良い。
【００３６】
ディスプレイＩ／Ｆ１２０には、ディスプレイ１２２とタッチパネル１２４を接続するインタフェースである。ディスプレイ１２２は、例えば、液晶ディスプレイや有機ＥＬ（Electro-Luminescence）ディスプレイ等のユーザに画像情報を表示する表示装置であり、３インチ〜５インチ程度の画面の表示サイズのものが一般に使用されている。タッチパネル１２４は、ユーザがディスプレイ１２２上を指またはタッチペンで接触することにより、データやコマンドを入力する仕組みの入力装置である。
【００３７】
オーディオＩ／Ｆ１３０は、マイク１３４やスピーカ１３２を接続するインタフェースである。マイク１３４は、外部から集音する装置である。スピーカ１３２は、音を出力する装置である。
【００３８】
カメラ１４０は、スマートフォン１００の周りの状況を撮像し、それを画像データとしてフラッシュメモリ１５０に保存する。
【００３９】
ＧＰＳ（Global Positioning System）部１４２は、人工衛星からの電波を受信して、それを解析することにより、機器の位置を求める装置である。
【００４０】
距離画像センサ１４４は、周辺の対象物を撮像し、そこまでの距離を求めるセンサである。
【００４１】
加速度センサ１４６は、スマートフォン１００に発生する加速度を測定するセンサである。測定された加速度は、例えば、画面の表示切替などに使用される。
【００４２】
近距離無線部１４８は、Ｂｌｕｅｔｏｏｔｈ（登録商標）などの通信規格により、近隣のスピーカなどのデジタル機器を操作するための装置である。
【００４３】
フラッシュメモリ１５０は、通常メインメモリ１０４より大容量で、プログラムやデータを格納する不揮発性のメモリである。フラッシュメモリ１５０には、音源データ、動画データ、画像データなどの各種データと、コンテンツ送信のためのプログラムのアプリケーションソフトウェアなどのプログラムを記憶する比較的大容量の記憶装置である。
【００４４】
フラッシュメモリ１５０には、ＣＰＵ１０２が実行するプログラムとして、モニタ識別プログラム１５２、ダウンコンバートプログラム１５４、暗号／復号プログラム１５６、機器認証プログラム１５８、機器管理プログラム１６０、記録再生プログラム１６２が格納されている。
【００４５】
モニタ識別プログラム１５２は、カメラ１４０で撮像した可視画像や、距離画像センサ１４４で撮像した距離画像や、無線ＬＡＮ部１０６や近距離無線部１４８を介して送受信した情報を用いて、コンテンツ受信装置のメーカ名、型式、デバイス種別を求めるプログラムである。
【００４６】
ダウンコンバートプログラム１５４は、元画像からコンテンツの解像度を落としたコンテンツのデータを生成するプログラムである。
【００４７】
暗号／復号プログラム１５６は、
（１）チューナ１１２経由で受信した放送局５提供の放送番組やコンテンツ無線ＬＡＮ部１０６経由で受信したコンテンツ提供サーバ６提供のコンテンツを、コンテンツ提供元が規定／運用する所定の手順（例えば、ＡＲＩＢ、Ｍａｒｌｉｎ、ＰｌａｙＲｅａｄｙ、ＣＭＬＡ−ＯＭＡ Ｖ２など）にしたがって復号化し、
（２）（１）で復号化したコンテンツを記録媒体に記録するために、コンテンツ提供元が規定／運用する所定の手順にしたがって暗号化し、さらに記録コンテンツを利用するために、復号化し、
（３）（１）あるいは（２）で復号化したコンテンツをデコーダ１１６で伸張した後、ＨＤＭＩ出力部１１８経由で外付けのテレビジョン受信機（コンテンツ受信装置）へ送信するために、コンテンツ提供元が規定／運用する所定の手順にしたがって復号化し、
（４）（１）あるいは（２）で復号化したコンテンツを無線ＬＡＮ部１０６経由で他のコンテンツ受信装置へ送信するために、コンテンツ提供元が規定／運用する所定の手順にしたがって復号化、
するプログラムである。
【００４８】
機器認証プログラム１５８は、有線または無線のネットワークを介して著作権保護対象のコンテンツを送信するために、他のデジタル機器との間で特定の認証プロトコルでお互いに正規に認定された機器であるかを認証し、コンテンツの暗号／復号に使用する鍵を共有するプログラムである。
【００４９】
機器情報管理プログラム１６０は、機器認証プログラム１５８により認証が成功したネットワーク接続機器に関する情報や機器認証処理部１０８が機器認証をおこなうに当たって必要な情報を管理するプログラムである。
【００５０】
記録再生プログラム１６２は、コンテンツを、フラッシュメモリ１５０やメモリカード（図示せず）などの記録媒体に記録するための記録制御と、記録媒体に記録したコンテンツを再生するための再生制御をおこなう。
【００５１】
レコーダ内蔵テレビジョン受信機２００は、図３に示されるように、ハードウェアとして、ＣＰＵ（Central Processor Unit）２０２、メインメモリ２０４、ＨＤＭＩ入出力部２０６、有線ＬＡＮ部２０８、チューナ２１０、デマルチプレクサ２１２、デコーダ２１４、ディスプレイＩ／Ｆ２１６、オーディオＩ／Ｆ２１８、補助記憶Ｉ／Ｆ２２０がバスで結合されて構成されている。また、ディスプレイＩ／Ｆ２１６には、ディスプレイ２５０が接続され、オーディオＩ／Ｆ２１８には、スピーカ２６０、入力部２７０が接続されている。
【００５２】
ＣＰＵ２０２は、レコーダ内蔵テレビジョン受信機２００の各部を制御し、メインメモリ２０４上にロードされるコンテンツ送信、受信のためのプログラムを実行する演算・制御のためのユニットである。ＣＰＵ２０２は、フラッシュメモリ２３０に格納されるプログラムをメインメモリ２０４に読み込み実行することにより、種々の処理をおこなう。これらのプログラムやデータは、予めフラッシュメモリ２３０に格納しておいてもよいし、ＵＳＢメモリ等の記憶媒体から入力してもよいし、ネットワーク経由で外部のサーバなどからダウンロードしてもよい。また、そのプログラムにより実現される機能を、専用のハードウェアにより実現してもよい。
【００５３】
メインメモリ２０４は、フラッシュメモリ２３０に記憶されているプログラムをロードして一時的に保管したり、ワークデータを記憶する記憶装置である。
【００５４】
ＨＤＭＩ（登録商標）（High-Definition Multimedia Interface）入出力部２０６は、ＨＤＭＩの信号を入力してデジタルデータに変換したり、デジタルデータをＨＤＭＩの信号に変換して出力する部分である。
【００５５】
有線ＬＡＮ部２０８は、ポートに接続された有線ネットワークの規格（例えば、Ethernet（登録商標））により、通信するためのインタフェース処理をおこなう部分である。
【００５６】
チューナ２１０は、放送局５（コンテンツ提供元）が配信するデジタル放送サービス（地上波放送、衛星放送など）のコンテンツをレコーダ内蔵テレビジョン受信機２００の内部アンテナを介して受信し、複数のチャンネルから所望のチャンネルを選局し、デジタル変調された番組を復調する。本実施形態のレコーダ内蔵テレビジョン受信機２００のチューナ２１０は、４Ｋ／８Ｋコンテンツに対する放送、２Ｋコンテンツに対する放送を扱える４Ｋ／８Ｋチューナ２１０ａ、２Ｋチューナ２１０ｂを共に有するものとする。
【００５７】
デマルチプレクサ２１２は、放送番組から音声データ、映像データ、番組情報、データ、コピー制御情報などを抽出する部分である。
【００５８】
デコーダ２１４は、チューナ２１０経由で入力された放送番組やＨＤＤ２２２や光ディスク装置２２４に記録されたコンテンツに含まれる圧縮された音声データや映像データを復号して、元の音声信号、映像信号に伸長する部分である。本実施形態のレコーダ内蔵テレビジョン受信機２００のデコーダ２１４は、４Ｋ／８Ｋコンテンツに対する放送、２Ｋコンテンツに対する放送を扱える４Ｋ／８Ｋデコーダ２１４ａ、２Ｋデコーダ２１４ｂを共に有するものとする。
【００５９】
ディスプレイＩ／Ｆ２１６には、ディスプレイ２５０を接続するインタフェースである。ディスプレイ２５０は、例えば、液晶ディスプレイや有機ＥＬ（Electro-Luminescence）ディスプレイ等のユーザに画像情報を表示する表示装置であり、２０インチ〜４０インチ程度の画面の表示サイズのものが一般に使用されている。
【００６０】
オーディオＩ／Ｆ２１８は、スピーカ２３２やヘッドホン（図示せず）を接続するインタフェースである。
【００６１】
補助記憶Ｉ／Ｆ２２０は、ＨＤＤ（Hard Disk Drive）２２２や光ディスク装置２２４などのメインメモリ２０４やフラッシュメモリ２３０より大容量の補助記憶装置を接続するインタフェースである。光ディスク装置は、Blu-ray Disc（登録商標）、ＤＶＤ（Digital Versatile Disc）（登録商標）などの光ディスク媒体に読み書きする装置である。
【００６２】
フラッシュメモリ２３０は、通常メインメモリ２０４より大容量で、プログラムやデータを格納する不揮発性のメモリである。フラッシュメモリ２３０には、音源データ、動画データなどの各種データと、コンテンツ送受信のためのプログラムのアプリケーションソフトウェアなどのプログラムを記憶する記憶装置である。
【００６３】
フラッシュメモリ２３０には、ＣＰＵ２０２が実行するプログラムとして、モニタ識別プログラム２３２、ダウンコンバートプログラム２３４、暗号／復号プログラム２３６、機器認証プログラム２３８、機器管理プログラム２４０、記録再生プログラム２４２が格納されている。
【００６４】
モニタ識別プログラム２３２は、レコーダ内蔵テレビジョン受信機２００（コンテンツ送受信装置）２００から、コンテンツを送信するときに、コンテンツ受信装置の種別（後述する暗号化処理の種別）を判定するプログラムである。
【００６５】
ダウンコンバートプログラム２３４は、元画像からコンテンツの解像度を落としたコンテンツのデータを生成するプログラムである。
【００６６】
暗号／復号プログラム２３６は、
（１）チューナ２１０経由で受信した放送局５提供の放送番組や有線ＬＡＮ部２０８経由で受信したコンテンツ提供サーバ提供のコンテンツを、コンテンツ提供元規定／運用する所定の手順（例えば、ＡＲＩＢ、ＤＴＣＰ−ＩＰ、Ｍａｒｌｉｎ、ＰｌａｙＲｅａｄｙ、ＣＭＬＡ−ＯＭＡ Ｖ２など）にしたがって復号化し、
（２）有線LAN部２０８経由で他のコンテンツ送信装置から再送信されたコンテンツを、コンテンツ提供元規定／運用する所定の手順（例えば、ＡＲＩＢ、ＤＴＣＰ−ＩＰ、Ｍａｒｌｉｎ、ＰｌａｙＲｅａｄｙ、ＣＭＬＡ−ＯＭＡ Ｖ２など）にしたがって復号化し、
（３）（１）あるいは（２）で復号化したコンテンツをＨＤＤ２２２や光ディスク装置２２４の記録媒体に記録するために、コンテンツ提供元が規定／運用する所定の手順にしたがって暗号化し、さらに記録コンテンツを利用するために、復号化し、
（４）（１）あるいは（２）あるいは（３）で復号化したコンテンツをデコーダ２１４で伸張した後、ＨＤＭＩ入出力部２０６経由で外付けのテレビジョン受信機（コンテンツ受信装置）へ送信するために、コンテンツ提供元が規定／運用する所定の手順にしたがって復号化し、
（５）（１）あるいは（３）で復号化したコンテンツを有線ＬＡＮ部２０８経由で他のコンテンツ受信装置へ送信するために、コンテンツ提供元が規定／運用する所定の手順にしたがって復号化、
するプログラムである。
【００６７】
機器認証プログラム２３８は、有線または無線のネットワークを介して著作権保護対象のコンテンツを送信するために、他のデジタル機器との間で特定の認証プロトコルでお互いに正規に認定された機器であるかを認証し、コンテンツの暗号／復号に使用する鍵を共有するプログラムである。
【００６８】
機器情報管理プログラム２４０は、機器認証プログラム２３８により認証が成功したネットワーク接続機器に関する情報や機器認証プログラム２３８が機器認証をおこなうに当たって必要な情報を管理するプログラムである。
【００６９】
記録再生プログラム２４２は、コンテンツを、ＨＤＤ２２２や光ディスク装置２２４の記録媒体に記録するための記録制御と、記録媒体に記録したコンテンツを再生するための再生制御をおこなう。著作権保護対象のコンテンツについては、暗号／復号プログラム２４０を用いて所定の手順にしたがって暗号化して記録、復号化して再生をおこなう。
【００７０】
入力部２７０は、ユーザがレコーダ内蔵テレビジョン受信機２００に対して操作するための入力装置であり、リモコンやマウス、キーボード等が挙げられる。
【００７１】
テレビジョン受信機（コンテンツ受信機）３００は、図４に示されるように、ハードウェアとして、ＣＰＵ３０２、メインメモリ３０４、ＨＤＭＩ入力部３０６、有線ＬＡＮ部３０８、チューナ３０８、デマルチプレクサ３１０、デコーダ３１２、ディスプレイＩ／Ｆ３１４、オーディオＩ／Ｆ３１６がバスで結合されて構成されている。また、ディスプレイＩ／Ｆ３１４には、ディスプレイ３５０が接続され、オーディオＩ／Ｆ３１６には、スピーカ３６０、入力部３７０が接続されている。
【００７２】
テレビジョン受信機３００の構成は、図３に示したレコーダ内蔵テレビジョン受信機３００の構成とほぼ同様であるが、補助記憶Ｉ／Ｆ、ＨＤＤ、光ディスク装置などのレコーダ機能を持たないことが異なっている。
【００７３】
また、フラッシュメモリ３３０に記憶されているプログラムは、コンテンツ送信のために用いられる暗号／復号プログラム３３６、機器認証プログラム３３８、記録再生プログラム３４２のみが格納されており、モニタ識別プログラム、ダウンコンバートプログラム、機器管理プログラムを有していないことが異なっている。
【００７４】
また、チューナ３０８は、放送波を受信して復調するときに用いられるが、コンテンツ送信機からネットワーク経由でコンテンツを受信するときには、用いられない。さらに、本実施形態のテレビジョン受信機で処理できる映像コンテンツは、２Ｋ以下であるため、チューナ３０８には、２Ｋチューナ３０８ｂのみを有し、デコーダ３１２は、２Ｋデコーダ３１２ｂのみを有する。
【００７５】
次に、図５を用いてコンテンツ送信装置での機能とデータフローについて説明する。
【００７６】
先ず、本実施形態で説明する暗号処理について説明する。
【００７７】
現在ＨＤＭＩのためのデジタル信号の暗号処理としては、ＨＤＣＰ(High-bandwidth Digital Content Protection)が採用されている。本実施形態では、２Ｋ以下のコンテンツに対する暗号処理のＨＤＣＰ規格をＨＤＣＰ１として、拡張規格である４Ｋ／８Ｋコンテンツに対する暗号処理のＨＤＣＰ規格をＨＤＣＰ２と記述する。また、有線ＬＡＮや無線ＬＡＮのホームネットワーク／パーソナルネットワーク上でコピー防止に使用される暗号処理として、２Ｋ以下のコンテンツに対する暗号処理を暗号処理Ｉとして、４Ｋ／８Ｋコンテンツに対する暗号処理ＩＩと記述する。
図５に示されるコンテンツ送信装置（スマートフォン１００、レコーダ内蔵テレビジョン受信機２００）は、放送局５から受信した４Ｋ／８Ｋコンテンツと２Ｋ以下のコンテンツ（以降、２Kコンテンツ）の両方を、他のコンテンツ受信装置へ出力する機能を有している。
【００７８】
最初に、受信したコンテンツを非圧縮デジタル形式のまま、外付けのモニタにＨＤＭＩ形式で出力する方法について説明する。
【００７９】
４Ｋ／８Ｋコンテンツを受信したときには、４Ｋ／８Ｋチューナ部４０１ａで複数のチャンネルの中から所望のチャンネルを復調し、必要に応じてスクランブル解除した後、デマルチプレクサ部４０２ａに入力する。デマルチプレクサ部４０２ａは、放送信号から音声データと映像データを分離し、４Ｋ／８Ｋデコーダ部４０３ａに入力する。
【００８０】
４Ｋ／８Ｋデコーダ部４０３ａは、圧縮された音声データと映像データを非圧縮の状態にデコードして、ＨＤＭＩ処理部４０５ａに出力する。ＨＤＭＩ処理部４０５ａでは、ＨＤＣＰ２の手順にしたがい所定の暗号化を施し、ＨＤＭＩ規格の信号に変換して、ＨＤＭＩ端子４１０から出力する。このデータフローは、コンテンツ受信装置が４Ｋ／８Ｋコンテンツを表示可能なモニタの場合に有効である。
【００８１】
同様に、２Ｋコンテンツを受信したときには、２Ｋチューナ部４０１ｂで所望のチャンネルに復調し、必要に応じてスクランブル解除した後、デマルチプレクサ部４０２ｂに入力する。デマルチプレクサ部４０２ｂは、放送信号から音声データと映像データを分離し、２Ｋデコーダ部４０３ｂに入力する。
【００８２】
２Ｋデコーダ部４０３ｂは、圧縮された音声データと映像データを非圧縮の状態にデコードして、ＨＤＭＩ処理部４０５ｂに出力する。ＨＤＭＩ処理部４０５ｂでは、ＨＤＣＰ１の手順にしたがい所定の暗号化を施し、ＨＤＭＩ規格の信号に変換して、ＨＤＭＩ端子４１０から出力する。このデータフローは、コンテンツ受信装置が２Ｋ以下のコンテンツを表示可能なモニタの場合に有効である。
【００８３】
また、受信した４Ｋ／８Ｋコンテンツを、２K以下のコンテンツを表示可能なモニタ（コンテンツ受信装置）に対してHDMI出力するデータフローについて説明する。
コンテンツ提供元が４Ｋ／８Ｋコンテンツの解像度や画面サイズ、輝度レンジ等の変更を許可した場合に限り、４Ｋ／８Ｋデコーダ部４０３ａから出力された信号をダウンコンバート部４０４によりダウンコンバートとし、２Ｋコンテンツとして、ＨＤＭＩ処理部４０５ｂで、暗号処理としてＨＤＣＰ１により暗号化されて、ＨＤＭＩ規格の信号に変換されて、ＨＤＭＩ端子４１０から出力される。
【００８４】
ここで、ＨＤＭＩ端子４１０は１つ以上を備え、各端子をＨＤＭＩ処理部４０５ａ、ＨＤＭＩ処理部４０５ｂで共用しても良いし、所定の端子を明示的にそれぞれに割り当てても良い。  
【００８５】
次に、受信したコンテンツを圧縮デジタル形式のまま、ネットワーク経由で他のコンテンツ受信装置へ出力する方法について説明する。
【００８６】
４Ｋ／８Ｋコンテンツを受信したときには、認証部４０６を用いて後述する認証処理を実行し、送信先のコンテンツ受信装置が正規の装置であることを確認できた場合に限り、デマルチプレクサ部４０２ａからの出力信号を通信処理部４０７ａへ入力する。
【００８７】
通信処理部４０７ａは、前記認証部４０６で共有した鍵情報を用いて暗号処理として暗号処理ＩＩにより暗号化し、コンテンツ受信装置に、無線ＬＡＮ部４１２から、無線で電波として信号を送信するか、有線ＬＡＮ端子４１４により、有線で信号を送信する。
【００８８】
同様に、２Ｋ以下のコンテンツを受信したときには、認証部４０６を用いて後述する認証処理を実行し、送信先のコンテンツ受信装置が正規の装置であることを確認できた場合に限り、デマルチプレクサ部４０２ｂからの信号は、通信処理部４０７ｂに入力する。通信処理部４０７ｂは、前記認証部４０６で共有した鍵情報を用いて暗号処理として暗号処理Ｉにより暗号化し、コンテンツ受信装置に、無線ＬＡＮ部４１２から、無線で電波として信号を送信するか、有線ＬＡＮ端子４１４により、有線で信号を送信する。ここで、認証部４０６は、４Ｋ／８Ｋコンテンツと２Ｋコンテンツとで異なる認証アルゴリズムあるいは異なる各種パラメータを使用して実施する。また、前記通信処理部４０７ａと前記通信処理部４０７ｂでは値やデータ長が異なる鍵情報を使用する。
【００８９】
また、受信した４Ｋ／８Ｋコンテンツをそのままでは再生または記録することが出来ないコンテンツ受信装置、あるいはネットワーク上の転送量や記録するデータ量を削減したいコンテンツ受信装置に対して、ネットワーク出力するデータフローについて説明する。
コンテンツ提供元が４Ｋ／８Ｋコンテンツの解像度や画面サイズ、輝度レンジ等の変更を許可した場合に限り、デマルチプレクサ部４０２ａからの信号を、４Ｋ／８Ｋデコーダ部４０３ａに入力して、入力データを非圧縮データにデコードしてから、ダウンコンバート部４０４により、信号をダウンコンバートする。その後、エンコード部４０８で圧縮し、圧縮したデータを通信処理部４０７ｂに出力する。通信処理部４０７ｂは、前記認証部４０６で共有した鍵情報を用いて暗号処理として暗号処理Ｉにより暗号化し、コンテンツ受信装置に、無線ＬＡＮ部４１２から、無線で電波として信号を送信するか、有線ＬＡＮ端子４１４により、有線で信号を送信する。
【００９０】
次に、図６を用いてコンテンツ受信装置での機能とデータフローについて説明する。
図６は、コンテンツ受信装置での機能とデータフロー図である。
図６に示したコンテンツ受信装置は、４Ｋ／８Ｋコンテンツ、２Ｋ以下のコンテンツ両方を受信し、内蔵あるいは外付けのモニタに表示する機能を有するものとする。
【００９１】
ＨＤＭＩ端子４３０から入力されたＨＤＭＩ信号は、４Ｋ／８Ｋコンテンツのときには、ＨＤＭＩ処理部４２５ａにより復号されて、表示部４２８に出力されて、表示される。また、２Ｋコンテンツのときには、ＨＤＭＩ処理部４２５ｂにより復号されて、表示部４２８に出力されて、表示される。
【００９２】
一方、無線ＬＡＮ部４１２または有線ＬＡＮ端子４１４で受信した信号は、４Ｋ／８Ｋコンテンツのときには、認証部４２６によりコンテンツ送信装置との認証処理で共有した鍵を用いて通信処理部４２７ａにより、暗号処理ＩＩで復号されて、４Ｋ／８Ｋデコーダ部４２３ａに出力される。４Ｋ／８Ｋデコーダ部４２３ａは、入力信号をデコードして、表示部４２８に出力されて、表示される。同様に、２Ｋコンテンツのときには、認証部４２６によりコンテンツ送信装置との認証処理で共有した鍵を用いて、通信処理部４２７ｂにより、暗号処理Ｉで復号されて、２Ｋデコーダ部４２３ｂに出力される。２Ｋデコーダ部４２３ｂは、入力信号をデコードして、表示部４２８に出力されて、表示される。
【００９３】
ここで、図示していないが、コンテンツ受信装置はＨＤＤや光ディスクへの記録再生部を備えても良く、無線ＬＡＮ部４１２または有線ＬＡＮ部４１４で受信した暗号化された圧縮デジタルコンテンツを通信処理部４７２ａまたは４２７ｂで復号化した後、コンテンツ提供元が許可した所定の手順にしたがって再度暗号化し、ＨＤＤや光ディスクなどの記録媒体に記録する。
【００９４】
次に、図７Ａないし図７Ｄを用いてコンテンツ送受信に関るデータ構造について説明する。
図７Ａは、暗号処理Ｉサポートのコンテンツ送信パケットの一例を示す図である。
図７Ｂは、暗号処理ＩＩサポートのコンテンツ送信パケットのヘッダ部の一例を示す図である。
図７Ｃは、暗号処理ＩＩサポートにおける拡張コピー制御情報の一例を示す図である。
図７Ｄは、図７Ｂに示したフォーマットに従い、ＨＴＴＰプロトコルを利用してコンテンツを伝送する場合のデータの一例を示す図である。
【００９５】
暗号処理Ｉに係るコンテンツ伝送パケットは、図７Ａ（ａ）に示されるように、コンテンツ送信装置とコンテンツ受信装置間でやりとりされるデータパケットであり、ヘッダ部８０１とペイロード部８０２から構成される。
【００９６】
ヘッダ部８０１は、図７Ａ（ｂ）に示されるように、予約領域（Ｒｅｓｅｒｖｅｄ）８０１１、暗号方式（Ｃ＿Ａ）８０１２、暗号モード（Ｅ−ＥＭＩ）８０１３、交換鍵ラベル（Ｅｘｃｈａｎｇｅ＿Ｋｅｙ＿Ｌａｂｅｌ）８０１４、乱数値（Ｎｃ）８０１５、ペイロードサイズ（Ｂｙｔｅ  Ｌｅｎｇｔｈ  ｏｆ  Ｐａｙｌｏａｄ）８０１６から構成される。
【００９７】
予約領域（Ｒｅｓｅｒｖｅｄ）８０１１は予約領域であり、０を設定する。
【００９８】
暗号方式（Ｃ＿Ａ）８０１２は、ペイロード部の暗号方式を示すものであり、例えば、１２８ビットの鍵長のＡＥＳで暗号化されていることや適用する鍵種類などを明示する。
【００９９】
暗号モード（Ｅ−ＥＭＩ）８０１３は、ペイロード部の暗号モードを示すものであり、乱数値（Ｎｃ）８０１５と合わせてコンテンツ鍵の算出に利用する。
【０１００】
交換鍵ラベル（Ｅｘｃｈａｎｇｅ＿Ｋｅｙ＿Ｌａｂｅｌ）８０１４には、認証処理（後述）で交換した鍵を特定するラベルを設定する。
【０１０１】
ペイロードサイズ（Ｂｙｔｅ  Ｌｅｎｇｔｈ  ｏｆ  Ｐａｙｌｏａｄ）８０１６には、当該パケットのペイロードサイズを設定する。
【０１０２】
ペイロード部８０２は、暗号化コンテンツを格納する部分である。
【０１０３】
暗号処理ＩＩに係るコンテンツ伝送パケット９００は、図７Ｂ（ａ）に示されるように、拡張コピー制御情報対応に拡張されたデータパケットであり、ヘッダ部９０１とペイロード部９０２から構成される。
【０１０４】
ヘッダ部９０１は、図７Ｂ（ｂ）に示されるように、ペイロードタイプ（Ｐ＿Ｔ）９０１７、予約領域（Ｒｅｓｅｒｖｅｄ）９０１１、暗号方式（Ｃ＿Ａ）９０１２、暗号モード（Ｅ−ＥＭＩ）９０１３、交換鍵ラベル（Ｅｘｃｈａｎｇｅ＿Ｋｅｙ＿Ｌａｂｅｌ）９０１４、乱数値（Ｎｃ）９０１５、ペイロードサイズ（Ｂｙｔｅ  Ｌｅｎｇｔｈ  ｏｆ  Ｐａｙｌｏａｄ）９０１６から構成される。
【０１０５】
ペイロードタイプ（Ｐ＿Ｔ）９０１７は、ペイロードがコンテンツであるか拡張コピー制御情報であるかを示す識別子であり、例えばコンテンツの場合は、０を、拡張コピー制御情報の場合は、１を設定する。
【０１０６】
予約領域（Ｒｅｓｅｒｖｅｄ）９０１２は予約領域であり、０を設定する。それ以外の部分については、従来のコンテンツ伝送パケットのヘッダ部と同様である。
【０１０７】
ペイロード部９０２は、暗号化コンテンツあるいは暗号化された拡張コピー制御情報（後述）から構成される。
【０１０８】
ペイロード部９０２が拡張コピー制御情報である場合の暗号モード（Ｅ−ＥＭＩ）９０１３は、コンテンツに設定されるものと同じでもよいし、異なる値でもよい。
【０１０９】
本フォーマットを用いた場合、ペイロード部９０２の暗号化方法については、交換鍵と暗号モード（Ｅ−ＥＭＩ）９０１３、乱数値（Ｎｃ）９０１５を元に生成したコンテンツ鍵を用いて暗号化される。
【０１１０】
また、例えば、拡張コピー制御情報をハッシュ化し、コンテンツパケットのヘッダ部に含まれる乱数値（Ｎｃ）９０１５との排他的論理和をコンテンツの暗号鍵とすることなどにより、拡張コピー制御情報の値とコンテンツを暗号化するコンテンツ鍵を相関させることで、拡張コピー制御情報を暗号化せずに送信しても拡張コピー制御情報の改ざんを防止することもできる。
【０１１１】
拡張コピー制御フォーマットは、図７Ｃ（ａ）で示されるように、Ｔｙｐｅ１００１、Ｌｅｎｇｔｈ１００２、拡張コピー制御情報１００３で構成される。
【０１１２】
Ｔｙｐｅ１００１は、拡張コピー制御情報の型を表すＩＤであり、当該パケットの拡張コピー制御情報のフォーマットを識別するために利用される。
【０１１３】
Ｌｅｎｇｔｈ１００２は、当該パケットに含まれる拡張コピー制御情報のサイズを示すものである。
【０１１４】
拡張コピー制御情報１００３は、当該コンテンツのコピー制御情報を示し、例えば、図７Ｃ（ｂ）で示されるように、Ｒｅｔｅｎｔｉｏｎ＿Ｍｏｖｅ＿Ｍｏｄｅ１００３１，Ｒｅｔｅｎｔｉｏｎ＿Ｓｔａｔｅ１００３２、ＥＰＮ１００３３、ＤＴＣＰ＿ＣＣＩ１００３４、Ｉｍａｇｅ＿Ｃｏｎｓｔｒａｉｎｔ＿Ｔｏｋｅｎ１００３５、ＡＰＳ１００３６、Ｃｏｐｙ＿Ｃｏｕｎｔ１００３７、Ｔｉｍｅ＿Ｓｐａｎ１００３８、Ｉｍａｇｅ＿Ｃｏｎｖｅｒｔ＿Ｃｏｎｓｔｒａｉｎｔ１００３９の各エントリから構成される。
【０１１５】
Ｒｅｔｅｎｔｉｏｎ＿Ｍｏｖｅ＿Ｍｏｄｅ１００３１は、一時蓄積可否を示すエントリである。
【０１１６】
Ｒｅｔｅｎｔｉｏｎ＿Ｓｔａｔｅ１００３２は一時蓄積時間を示すエントリである。
【０１１７】
ＥＰＮ１００３３は、出力保護つきコピー無制限運用可否を示すエントリである。
【０１１８】
ＤＴＣＰ＿ＣＣＩ１００３４は、ＤＴＣＰ方式で規定されるコピー制御情報を示すエントリである。
【０１１９】
Ｉｍａｇｅ＿Ｃｏｎｓｔｒａｉｎｔ＿Ｔｏｋｅｎ１００３５は、映像出力信号の制限有無を示すエントリである。
【０１２０】
ＡＰＳ１００３６はアナログ出力コピー制御情報を示すエントリである。
【０１２１】
Ｃｏｐｙ＿Ｃｏｕｎｔ１００３７はコピー回数を示すエントリである。
【０１２２】
Ｔｉｍｅ＿Ｓｐａｎ１００３８は視聴期限を示すエントリである。
【０１２３】
Ｉｍａｇｅ＿Ｃｏｎｖｅｒｔ＿Ｃｏｎｓｔｒａｉｎｔ１００３９は、受信したコンテンツの解像度や画面サイズ、輝度レンジ等の変更（例えばダウンコンバート）許可有無を示すエントリである。
【０１２４】
拡張コピー制御情報を伝送するパケットは、データの１ビット目を拡張コピー制御情報伝送用パケットとコンテンツ伝送用パケットを識別するための識別子として取り扱い、拡張コピー制御情報の場合は該識別子を１にするなどして、図７Ａにおけるコンテンツ伝送パケットフォーマットと区別できる形であれば、コンテンツ伝送パケットフォーマットと類似の図７Ｂに示す形ではなく、例えば、ヘッダが図７Ｃの構成例におけるＴｙｐｅ１００１、Ｌｅｎｇｔｈ１００２から構成され、ペイロード部が拡張コピー制御情報１００３のみから構成される形式でもよい。
【０１２５】
以上のようなフォーマットで拡張コピー制御情報を伝送することにより、例えば現在ＤＴＣＰ−ＩＰ方式で規定されていないコピー制御情報を、コンテンツのフォーマットに依存しない形で容易に伝送することができる。また、本フォーマットによれば、パケットがコンテンツか拡張コピー制御情報かを簡単に区別することができるとともに、コピー制御情報の追加、変更などが容易に行える。
図７Ｂに示したフォーマットを用い、ＨＴＴＰ（Hypertext Transfer Protocol）を利用してコンテンツを伝送する場合は、例えば、図７Ｄに示されるようなフォーマットで伝送される。ここで、トランスポート層プロトコルとしてＴＣＰを用いるが、ＴＣＰヘッダは省略する。なおＨＴＴＰの代わりにＲＴＰ（Real-time Transport Protocol）を利用しても良い。
図７Ｂ、図７Ｃで示したフォーマットを用いてコンテンツを伝送する場合の伝送データ１１００は、ＨＴＴＰヘッダ１１０１、拡張コピー制御情報伝送用パケット１１１０、コンテンツ伝送用パケット１１２０から構成される。
【０１２６】
拡張コピー制御情報伝送用パケット１１１０は、拡張コピー制御情報用ヘッダ部１１１１とペイロード部（拡張コピー制御情報）１１１２から構成される。この拡張コピー制御情報伝送用パケット１１１０は、伝送データ１１００内に１つ以上含んだ構成でも良い。例えば、コンテンツ提供元や放送局などのサービス／チャンネル毎やコンテンツの種別毎（２Ｋ以下のコンテンツ、４Ｋコンテンツ、８Ｋコンテンツなど）に異なる拡張コピー制御情報伝送用パケット１１１０を含んでも良い。
【０１２７】
コンテンツ伝送用パケット１１２０は、コンテンツ用ヘッダ部１１２１とペイロード部（コンテンツ）１１２２から構成される。
【０１２８】
拡張コピー制御情報用ヘッダ部１１１１は、図７Ｂで示したコンテンツ伝送パケットのヘッダ部においてペイロードタイプ（Ｐ＿Ｔ）９０１７を１に設定したヘッダ部である。
【０１２９】
ペイロード部（拡張コピー制御情報）１１１２には、コンテンツ送信装置とコンテンツ受信装置間の機器認証処理（後述）において交換される交換鍵と、拡張コピー制御情報用ヘッダ部１１１１に設定された暗号モード（Ｅ−ＥＭＩ）９０１３や乱数値（Ｎｃ）９０１５などの情報を元に暗号化された拡張コピー制御情報を格納する。
【０１３０】
拡張コピー制御情報１００３には、図７Ｃに示した構成例のみでなく、複数のフォーマットの情報が同時に含まれていてもよい。
【０１３１】
拡張コピー制御情報伝送用パケット１１１０は、それ以降に送信されるコンテンツのコピー制御情報を示すものであり、少なくともコンテンツのコピー制御情報が変化する毎に、送信データに挿入する。
【０１３２】
コンテンツ用ヘッダ部１１２１は、図７Ｂで示したコンテンツ伝送パケットのヘッダ部においてペイロードタイプ（Ｐ＿Ｔ）を０に設定したヘッダ部である。
【０１３３】
ペイロード部（コンテンツ）１１２２には、コンテンツ送信装置とコンテンツ受信装置間の機器認証処理（後述）において交換される交換鍵と、コンテンツ用ヘッダ部１１２１に設定された暗号モード（Ｅ−ＥＭＩ）９０１３や乱数値（Ｎｃ）９０１５などの情報を元に暗号化されたコンテンツを設定する。
【０１３４】
次に、図８Ａないし図８Ｃを用いて機器情報に関するテーブル群について説明する。
図８Ａは、機器情報定義テーブルの一例を示す図である。
図８Ｂは、機器制御情報テーブルの一例を示す図である。
図８Ｃは、機器情報テーブルの一例を示す図である。
【０１３５】
これらの機器情報に関するテーブル群は、機器情報定義テーブル５１００、機器制御情報テーブル５２００、機器情報テーブル５３００からなり、コンテンツ伝送装置の記憶装置（例えば、図２のスマートフォン１００の場合は、フラッシュメモリ１５０）に格納される。
【０１３６】
機器情報定義テーブル５１００は、コンテンツ伝送にあたり、機器に関する諸定数を定義するためのテーブルであり、図８Ａに示されるように、機器認証最大数５１０１、カウンタ最大値５１０２、同時アクセス最大数５１０３、同時アクセス最大数（４Ｋ／８Ｋ）５１０４で構成する。
【０１３７】
機器認証最大数５１０１は、機器認証処理（後述）のときにコンテンツ送信装置とコンテンツ受信装置の間で機器認証が実行可能な最大数を示すフィールドである。
【０１３８】
カウンタ最大値５１０２は、認証処理のために有効とされるカウンタの最大値を示すフィールドである。
【０１３９】
同時アクセス最大数５１０３は、２Ｋ以下のコンテンツに対するアクセス要求を同時に許可する装置の最大数を示すフィールドである。
【０１４０】
同時アクセス最大数（４Ｋ／８Ｋ）５１０４は、より高画質な４Ｋ／８Ｋコンテンツに対するアクセス要求を同時に許可する装置の最大数を示すフィールドである。
【０１４１】
図８Ｂに示す機器制御情報テーブル５２００は、機器を制御するために用いられる情報を格納するテーブルである。
交換鍵５２２０は、コンテンツ送信装置とコンテンツ受信装置との間でコンテンツ送信する際に暗復号処理で用いる鍵情報やその付加情報（ラベルや鍵の種類など）を格納するフィールドである。
【０１４２】
認証機器数５２２１は、自機器との間で機器認証済みのコンテンツ受信装置の数を格納するフィールドである。コンテンツ送信装置は、この値が前記の機器認証最大数５１０１に達した場合は、以降の機器認証処理を実行しない、あるいはコンテンツ受信装置からの機器認証要求を受け付けないようにする。
【０１４３】
同様に、コンテンツ送信装置は、同時アクセス数５２２２、同時アクセス数（４Ｋ／８Ｋ）５２２３の値が前記同時アクセス最大数５１０３、同時アクセス最大数（４Ｋ／８Ｋ）５１０４に達している場合は、以降のコンテンツ出力を実行しない、あるいはコンテンツ受信装置やユーザからの以降のコンテンツ送信要求を受け付けないようにする。
【０１４４】
機器情報テーブル５３００は、コンテンツの送信をおこなう機器の情報を格納するテーブルであり、図８Ｃに示されるように、ＩＤ５３０１、デバイスＩＤ５３０２、アドレス情報５３０３、認証用カウンタ値５３０４、送信ステータス５３０５、メーカ名５３１０、形式５３１１、デバイス種別５３１２、解像度５３２０、ＨＤＲ５３２１、ＨＤＣＰバージョン５３２２、入力端子数５３２３、出力端子数５３２４、暗号化規格バージョン５３３０、端子個数５３３１、無線規格５３３２、速度５３３３から構成される。
【０１４５】
ＩＤ５３０１は、テーブルの登録番号を示すフィールドである。
【０１４６】
デバイスＩＤ５３０２は、各機器を一意に識別するための識別子を格納するフィールドである。デバイスＩＤ５３０２は、特定の認証機関やライセンス管理機関により生成され、各機器の製造時に予め不揮発メモリに保存される、あるいは購入後に特定の登録処理を実行した後に安全に不揮発メモリに記録される機器固有の情報であり、機器毎にユニークな値を有する。デバイスＩＤ５３０２には、製造シリアル番号の他、公開鍵などの情報を含んでいてもよい。
【０１４７】
アドレス情報５３０３は、ネットワーク上における各機器のＩＰアドレス（ＩＰｖ４／ＩＰｖ６）やＭＡＣアドレス等を格納するフィールドである。ＩＰアドレスは、プライベートアドレスやローカルアドレスなど、宅内での使用を想定したアドレス形態に限定してもよい。
【０１４８】
認証用カウンタ値５３０４は、該当するデバイスの認証用カウンタの現在の値を格納するフィールドである。
【０１４９】
送信ステータス５３０５は、コンテンツ受信装置へのコンテンツ送信状況（例えば、アクセス中、停止など）を格納するフィールドである。
【０１５０】
メーカ名５３１０は、この機器のメーカ名を格納するフィールドである。
【０１５１】
形式５３１１は、この機器の型番（モデル番号）を格納するフィールドである。
【０１５２】
デバイス種別５３２２は、テレビジョン受信機、スマートフォン、タブレット、ＰＣなどのデジタル機器としてのカテゴリーを格納するフィールドである。
【０１５３】
解像度５３２０〜出力端子数５３２４は、この機器のＨＤＭＩインタフェース（図２のHＨＤＭＩ出力部１１８、図３のＨＤＭＩ入出力部２０６、図４のＨＤＭＩ入力部３０６）に関する情報である。解像度５３２０は、この機器の表示に関する解像度が格納され、Ｆｕｌｌ  ＨＤ（２Ｋ）のときには、通称の「１０８０ｉ」「１０８０ｐ」、４Ｋのときには、「２１６０ｐ」を示す値が格納される。ＨＤＲ５３２１は、ＨＤＲのサポートの有無を格納するフィールドである。ＨＤＲ(High Dynamic Range)は、映像表現において、露出の異なる複数の画像を合成し、階調表現可能な範囲を拡大する手法である。ＨＤＣＰバージョン５３２２は、該当するＨＤＭＩインタフェースが搭載するＨＤＣＰのバージョンを格納するフィールドである。入力端子数５３２３、出力端子数５３２４は、それぞれＨＤＭＩ入力端子の数、ＨＤＭＩ出力端子の数を格納するフィールドである。
【０１５４】
暗号化規格バージョン５３３０〜速度５３３３は、この機器のネットワークに関する情報である。暗号化規格バージョン５３３０は、ネットワークによる伝送のときに、使用される暗号化規格バージョンを格納するフィールドである。端子個数５３３１は、有線ＬＡＮにおけるEthernet（登録商標）端子数を格納するフィールドである。無線規格５３３２は、この機器がサポートする無線の規格を格納するフィールドであり、「IEEE802.11b/g/n/ac」などの規格を表す値が格納される。速度５３３２は、ネットワークにおける通信速度であり、「１００Ｍｂｐｓ／１Ｇｂｐｓ」などの速度を表す値が格納される。
【０１５５】
次に、図９Ａないし図９Ｃを用いてコンテンツに付随する制御情報について説明する。
図９Ａは、コンテンツ利用記述子の一例を示す図である。
図９Ｂは、デジタルコピー制御記述子の一例を示す図である。
図９Ｃは、ダウンコンバート制限記述子の一例を示す図である。
【０１５６】
コンテンツ利用記述子１２００、デジタルコピー制御記述子１３００、ダウンコンバート制限記述子１４００は、放送局５やコンテンツ提供サーバ６のコンテンツ提供元が配信するコンテンツに付加され、配信コンテンツの利用制限を記述する情報である。このコンテンツを受信した装置は、これらの情報を扱う場合（他の装置への出力可否、出力コンテンツに対する暗号化有無、暗号モード、記録制御）に参照する。
【０１５７】
コンテンツ利用記述子１２００は、例えばＳＩ（Service Information：番組配列情報）のＳＤＴ（Service Description Table：サービス記述テーブル）やＥＩＴ（Event Information Table：イベント情報テーブル）に設定される。
【０１５８】
コンテンツ利用記述子１２００は、受信したコンテンツの記録や他のコンテンツ受信装置への出力を制御する情報を示し、そのコンテンツの提供元（例えば、放送局やコンテンツサービスプロバイダー等の著作権者側）がそのコンテンツに対する記録／出力を制御するために付加された情報である。コンテンツ利用記述子１２００は、後述するデジタルコピー制御記述子１３００やダウンコンバート制限記述子１４００と組み合わせて用いる。
【０１５９】
コンテンツ利用記述子１２００は、図９Ａに示されるように、コピー制限モード（copy_restriction_mode）１２０１、解像度制限ビット（image_constraint_token）１２０２、一時蓄積制御ビット（retention_mode）１２０３、一時蓄積許容時間（retention_state）１２０４、出力保護ビット（encryption_mode）１２０５、リモートアクセス制限モード（remote_access_restriction_mode）１２０６、ダウンコンバート制限モード（downconvert_restriction_mode）１２０７を有する。なお、コンテンツ利用記述子１２００の構成に他の情報を含んでもよく、この構成例に限定するものではない。
【０１６０】
コピー制限モード（copy_restriction_mode）１２０１は、コピー個数制限のモードを示し、コンテンツ事業者の運用規定によって定められる。例えば、この値が「０」の場合はコピーの個数制限を運用し、「１」の場合は運用しないといった意味を示す。また、この情報が含まれていない(配置されていない)場合には、デフォルトとして「１」が設定されているものとみなす。
【０１６１】
解像度制限ビット（image_constraint_token）１２０２は、デジタル映像／音声出力端子１１６から出力する映像信号の画質制限の有無を示す情報である。例えば、この値が「０」の場合は映像音声出力の解像度を制限し、「１」の場合は制限を行わないとする。
【０１６２】
一時蓄積制御ビット（retention_mode）１２０３は、条件付きで受信したコンテンツの一時蓄積を許可するか否かを示す情報である。例えば、この値が「０」の場合は後述するデジタルコピー制御記述子１３００が「コピー禁止」であっても一時蓄積が可能であり、「１」の場合は一時蓄積をおこなうことができないとする。
【０１６３】
一時蓄積許容時間（retention_state）１２０４は、コンテンツを受信してからの一時蓄積許容時間を示し、例えば、制限なし、１時間３０分、３時間、１日、１週間等の情報が設定される。
【０１６４】
出力保護ビット（encryption_mode）１２０５は、デジタル入出力端子１１４から後述するデジタルコピー制御記述子１３００が「制約条件なしにコピー可」のコンテンツを出力する際の出力保護の有無を示す情報である。例えば、この値が「０」の場合は出力保護の処理をおこない、「１」の場合は出力保護の処理をおこなわないとする。
【０１６５】
リモートアクセス制限モード（remote_access_restriction_mode）１２０６は、受信したコンテンツを外出先やユーザ別宅といった宅外にある端末からの利用制限のモードを示し、コンテンツ事業者の運用規定によって定められる。例えば、この値が「０」の場合はリモートアクセスでの利用を禁止し、「１」の場合は制限しないといった意味を示す。この値を以降の処理で使用することにより、コンテンツ提供元は、コンテンツへのリモートアクセスを制限することが可能となる。
【０１６６】
ダウンコンバート制限モード（downconvert_restriction_mode）１２０７は、コンテンツの解像度や画面サイズ、輝度レンジ等のダウンコンバートを許可するか否かを示す情報である。例えば、「１」のときには、ダウンコンバートすることを禁止し、「０」のときには、ダウンコンバートすることを許容する。
【０１６７】
デジタルコピー制御記述子１３００は、デジタル記録装置におけるコピー世代を制御する情報を示し、デジタルコピーおよびアナログコピーをおこなう場合にコンテンツの提供元（例えば、放送局やコンテンツサービスプロバイダー等の著作権者側）がそのコンテンツに対する記録／コピーに関する情報を記録装置に伝えるために付加された情報である。
【０１６８】
デジタルコピー制御記述子１３００は、図９Ｂに示されるように、デジタルコピー制御情報（digital_recording_control_data）１３０１、コピー制御形式情報（copy_control_type）１３０２、アナログ出力コピー制御情報（APS_control_data）１３０３から構成する。なお、デジタルコピー制御記述子１３００の構成は、他の情報を含んでもよく、この構成例に限定するものではない。
【０１６９】
デジタルコピー制御情報（digital_recording_control_data）１３０１は、受信したコンテンツのコピー世代を制御する情報である。例えば、この値が「００」の場合は「制約条件なしにコピー可」、「０１」「１１」の場合は「コピー禁止」、「１０」の場合は「１世代のみコピー可」とする。
【０１７０】
コピー制御形式情報（copy_control_type）１３０２は、受信したコンテンツのコピー世代を制御する形式の情報である。例えば、この値が「０１」の場合は、コンテンツの提供元が指定した暗号化方式（例えば、ＤＴＣＰ、ＤＴＣＰ−ＩＰ、Ｗｉｎｄｏｗｓ  Ｍｅｄｉａ  ＤＲＭなど）を使用してそのコンテンツを暗号化してデジタル入出力端子１１４から出力し、「１１」の場合は暗号化をおこなわないでデジタル入出力端子１１４から出力するようにする。
【０１７１】
アナログ出力コピー制御情報（APS_control_data）１３０３は、上記のデジタルコピー制御形式情報１３０１の値が「０１」あるいは「１１」の場合のアナログ出力のコピーを制御する情報である。例えば、この値が「００」の場合は制約条件なしにコピー可であり、それ以外の値の場合は何らかの制約条件でコピーを制限するようにする。
【０１７２】
ダウンコンバート制限記述子１４００は、コンテンツをダウンコンバートするときの条件を記述する情報であり、図９Ｃに示されるように、ダウンコンバート対象コンテンツ（downconvert_objection）１４０１、ダウンコンバート制限日時（downconvert_restriction_date）１４０２、サイマル番組情報（simul_program_information）１４０３、ダウンコンバート条件（downconvert_condition）１４０４から構成される。
【０１７３】
ダウンコンバート対象コンテンツ（downconvert_target_content）１４０１は、ダウンコンバートの対象とするコンテンツの条件に関する情報である。例えば、「解像度１９２０×１０８０（１０８０ｐ）であり、ＨＤＲサポート」、「解像度３８４０×２１６０（２１６０ｐ）以上の解像度」のような情報が格納される。
【０１７４】
ダウンコンバート制限日時（downconvert_restriction_date）１４０２は、ダウンコンバートをおこなう日時に関する情報である。例えば、「２０１８／３／３１までは、ダウンコンバートは禁止」、「２０１８／４／１以降は、ダウンコンバートは許可」という情報が格納される。
【０１７５】
サイマル番組情報（simul_program_information）１４０３は、ダウンコンバートをおこなう対象のコンテンツの配信情報である。例えば、放送波で同時配信されており、「２Ｋチューナで同時刻に配信」、あるいは、ストリーミングで配信されており、「ＵＲＬ：http://www.aaa.co.jp」にアクセスすることにより、インターネットブラウザより視聴できるというような情報が格納される。
【０１７６】
ダウンコンバート条件（downconvert_condition）１４０４は、コンテンツのダウンコンバートが許可された場合に、どの範囲までコンバートが可能であるかの条件に関する情報である。例えば、ダウンコンバート対象コンテンツがＨＤＲ対応の場合、「ＨＬＧ(Hybrid Log-gamma)方式であればＳＤＲ(Standard Dynamic Range)やＬＤＲ(Low Dynamic Range)に変更可であるが、ＨＤＲ１０方式は変更不可」や、「解像度720×480や720×576への変更は不可」のような情報が格納される。
【０１７７】
上記以外に、ダウンコンバートが許可された場合のコピー回数、他の装置への出力数を制限する同時出力数を含んだ構成でも良い。
【０１７８】
次に、図１０および図１１を用いてコンテンツ送信装置およびコンテンツ受信装置がコンテンツ出力やコンテンツ記録の際に参照する制御テーブルについて説明する。
図１０は、デジタルコンテンツ出力制御テーブルの一例を示す図である。
図１１は、デジタルコンテンツ記録制御テーブルの一例を示す図である。
【０１７９】
デジタルコンテンツ出力制御テーブル１５００は、コンテンツ送信装置から出力するときの制約条件とそのときの動作を示すテーブルであり、図１０に示されるように、コピー制御形式情報（copy_control_type）条件１５０１、デジタルコピー制御情報（digital_recording_control_data）条件１５０２、出力保護ビット（encryption_mode）条件１５０３、ダウンコンバート制限モード（downconvert_restriction_mode）条件１５０４、出力動作１５０５の欄を有する。
【０１８０】
コピー制御形式情報（copy_control_type）条件１５０１、デジタルコピー制御情報（digital_recording_control_data）条件１５０２は、図９Ａに示したデジタルコピー制御記述子１３００のエントリに関する条件であり、出力保護ビット（encryption_mode）条件１５０３、ダウンコンバート制限モード（downconvert_restriction_mode）条件１５０４は、図９Ａに示したデジタルコピー利用記述子１２００のエントリに関する条件であり、放送局５やコンテンツ提供サーバ６から配信されたコンテンツに付加された情報である。
これらの条件を満たすときには、放送局５やコンテンツ提供サーバ６からコンテンツを受信したコンテンツ送信装置のデジタル出力端子からのデジタルコンテンツの出力可否、暗号化有無、暗号モードに関して、出力動作１５００に記述されている動作をすることを意味している。ここで、デジタル出力端子とは、Ethernet規格の端子、ＨＤＭＩ端子などデジタルデータに関する出力端子、また、無線によりデジタルデータを伝送するもの全てを含む概念である。
【０１８１】
例えば、コピー制御形式情報条件１５０１が「０１」、デジタルコピー制御情報条件１５０２が「００」、出力保護ビット条件１５０３が「１」のときには、出力動作として、デジタル出力端子から暗号化なしでコンテンツを出力可能であり、コピー制御形式情報条件１５０１が「０１」、デジタルコピー制御情報条件１５０２が「０１」、ダウンコンバート制限モード条件１５０４が「０」のときには、コピーは許されないが、出力動作として、受信したコンテンツをダウンコンバートし、暗号化してデジタル出力端子から出力可能であることを示している。
【０１８２】
なお、ダウンコンバートするときには、コンテンツ送信装置は、図９Ｃに示したダウンコンバート制限記述子１４００に規定する要件にも拘束される。
【０１８３】
デジタルコンテンツ記録制御テーブル１６００は、コンテンツ送信装置、コンテンツ受信装置を包含したデジタルコンテンツを記録するデジタル機器が、コンテンツを記録装置に記録するとき、および、音声出力するときの制約条件とそのときの動作を示すテーブルであり、図１１に示すように、コピー制御形式情報（copy_control_type）条件１６０１、デジタルコピー制御情報（digital_recording_control_data）条件１６０２、出力保護ビット（encryption_mode）条件１６０３、ダウンコンバート制限モード（downconvert_restriction_mode）条件１６０４、記録制御動作１６０５、音声出力動作１６０６の欄を有する。
【０１８４】
コピー制御形式情報（copy_control_type）条件１６０１、デジタルコピー制御情報（digital_recording_control_data）条件１６０２は、図９Ａに示したデジタルコピー制御記述子１３００のエントリに関する条件であり、出力保護ビット（encryption_mode）条件１６０３、ダウンコンバート制限モード（downconvert_restriction_mode）条件１６０４は、図９Ａに示したデジタルコピー利用記述子１２００のエントリに関する条件である。コンテンツ受信装置およびコンテンツ送信装置は、これらの条件を参照し、デジタル入力端子から入力されたデジタルコンテンツの記録制御を実行する。同様に、デジタル入力端子から入力されたデジタルコンテンツの音声出力に関して、音声出力動作１６０６に記述されてる動作をすることを意味している。
【０１８５】
例えば、コピー制御形式情報条件１６０１が「０１」、デジタルコピー制御情報条件１６０２が「００」、出力保護ビット条件１６０３が「１」のときには、デジタル入力端子から入力されたコンテンツを暗号化しないで記録可能であり、コピー制御形式情報条件１６０１が「０１」、デジタルコピー制御情報条件１６０２が「０１」、ダウンコンバート制限モード条件１６０４が「０」のときには、記録は禁止され、音声出力動作としては、暗号化してコンテンツを音声出力可能であり、その際にダウンコンバートも可能であることを示している。
【０１８６】
次に、図１２ないし図１６を用いてコンテンツ送信装置からコンテンツ受信装置にコンテンツを伝送するときの処理について説明する。
図１２は、コンテンツ送信装置からコンテンツ受信装置にコンテンツを伝送するときのフローチャートである。
図１３は、機器情報取得処理のシーケンス図である。
図１４は、機器認証処理のシーケンス図である。
図１５は、機器情報を表示するユーザインタフェースの一例を示す図である。
図１６は、コンテンツ視聴・送信アプリのユーザインタフェースの一例を示す図である。
【０１８７】
コンテンツ送信装置は、必要に応じてコンテンツ視聴するためのアプリケーション起動や機能選択することにより、自装置が視聴あるいは出力可能なコンテンツに関する情報を取得し、内蔵あるいは外付けのモニタにコンテンツ一覧画面を表示する。前記コンテンツは、例えば、スマートフォン１００の場合、チューナ１１２で受信中あるいは受信予定のコンテンツ、無線LAN１０６で受信中あるいは受信予定のコンテンツ、メインメモリ１０４やフラッシュメモリ２３０に記録したコンテンツがある。ユーザは、表示したコンテンツの一覧画面から、タッチパネル１２４や入力部２７０／３７０を用いて視聴したいコンテンツを選択する（Ｓ００）。
【０１８８】
次に、モニタ識別プログラム１５２を用いてＳ００で選択したコンテンツを視聴するためのモニタを選択する。先ず、有線ＬＡＮ（Ethernet）、無線ＬＡＮ（Ｗｉｆｉ）、近距離通信（Bluetooth）、距離画像センサ１４４などの１つ以上の通信手段により、付近にあるコンテンツ受信装置に関する情報を取得する（Ｓ０１）。この機器情報取得処理Ｓ０１は、例えばＵＰｎＰ(Universal Plug and Play)やＤＬＮＡ（Digital Living Network Alliance）の仕組みを利用する。この機器情報取得処理Ｓ０１は、後に、図１３により詳説する。
【０１８９】
次に、コンテンツ送信装置は、内蔵あるいは外付けのモニタ画面上に、取得した機器情報を表示する（Ｓ０２）。機器情報を表示する例は、後に、スマートフォン１００の場合を例にとり詳説する。
【０１９０】
ユーザは、タッチパネルや入力部を用いてコンテンツ受信装置を指定し（Ｓ０２）、当該コンテンツの送信を指示する（Ｓ０３）。この際、コンテンツ送信装置は、必要に応じて、ＤＬＮＡなどのプロトコルを利用して指定されたコンテンツ受信装置に対して、当該コンテンツの受信を指示する。
【０１９１】
次に、機器認証プログラムを用いてコンテンツ送信装置とコンテンツ受信装置との間で所定の機器認証処理をおこなう（Ｓ０４）。この機器認証処理Ｓ０４は、後に、図１４により詳説する。
【０１９２】
次に、コンテンツ送信装置は、Ｓ００で選択したコンテンツのフォーマットを参照し、そのコンテンツが、４Ｋ／８Ｋコンテンツか否かを判断する（Ｓ０５）。ここで、コンテンツのフォーマットに関する情報は、例えば、ＭＰＥＧシステムにおけるＰＭＴ（Program Map Table）内のビデオでコードコントロール記述子（video_decode_control_descriptor）に含まれる。
【０１９３】
４Ｋ／８Ｋコンテンツでなかったときには（Ｓ０５：ＮＯ）、そのコンテンツのデジタルコンテンツ出力制御テーブル１５００を参照し、出力可能であるか否かを判断する。そして、出力可能である場合のみ、コンテンツ受信装置に伝送する。ここで、暗号／復号プログラムを用いて出力時に暗号化が必要な場合の処理について説明する。前記Ｓ４０４で実行した機器認証処理が２Ｋコンテンツ用の認証アルゴリズムであった場合は、暗号処理Ｉ４０７ｂを用いてコンテンツ受信装置との間で共有した鍵情報を元に暗号化を実施し、図７Ａで記載したフォーマットで送信する。一方、機器認証処理が４Ｋ／８Ｋコンテンツ用の認証アルゴリズムであった場合は、暗号処理ＩＩ４０７ａを用いてコンテンツ受信装置との間で共有した鍵情報を元に暗号化を実施し、図７Ｂで記載したフォーマットで送信する（Ｓ０７）。
【０１９４】
４Ｋ／８Ｋコンテンツのときには（Ｓ０５：ＹＥＳ）、前記Ｓ０１で取得した情報を参照してコンテンツの送信の対象となるコンテンツ受信装置が、４Ｋ／８Ｋコンテンツをサポートしているか否かを判断する。また、コンテンツ送信装置は、前記S04の機器認証処理に使用した認証アルゴリズムが２Ｋコンテンツ用か４Ｋ／８Ｋコンテンツ用かを判断する（Ｓ０６）。例えば、前記Ｓ０１で取得した情報では４Ｋ／８Ｋをサポートしている場合でも前記Ｓ０４で２Ｋコンテンツ用の認証アルゴリズムを使用した場合は、４Ｋ／８Ｋコンテンツをサポートしていないと判断する。また、図示しなかったが、機器認証処理の際に、コンテンツ受信装置からサポートする解像度をコンテンツ送信装置にレポートするシーケンスを設けるようにしてもよい。
【０１９５】
４Ｋ／８Ｋコンテンツをサポートしているときには（Ｓ０５：ＹＥＳ）、そのコンテンツのデジタルコンテンツ出力制御テーブル１５００を参照し、出力可能であるか否かを判断する。そして、出力可能である場合のみ、コンテンツ受信装置に伝送する。ここで、暗号／復号プログラムを用いて出力時に暗号化が必要な場合は、暗号処理ＩＩ４０７ａを用いてコンテンツ受信装置との間で共有した鍵情報を元に暗号化を実施し、図７Ｂで記載したフォーマットで送信する（Ｓ０７）。
【０１９６】
４Ｋ／８Ｋコンテンツをサポートしていないときには（Ｓ０５：ＮＯ）、２Ｋの同時放送している番組があるか否かを判断する（Ｓ０８）。これは、図９Ｃのダウンコンバート制限記述子１４００のサイマル番組情報１４０３により確認することができる。
【０１９７】
同時放送している番組があるときには（Ｓ０８：ＹＥＳ）、その番組のコンテンツのデジタルコンテンツ出力制御テーブル１５００を参照し、出力可能であるか否かを判断する。そして、出力可能である場合のみ、コンテンツ受信装置に伝送する。ここで、出力時に暗号化が必要な場合は、暗号処理Ｉ４０７ｂを用いてコンテンツ受信装置との間で共有した鍵情報を元に暗号化を実施し、図７Ａで記載したフォーマットで送信する（Ｓ１３）。
【０１９８】
同時放送している番組がないときには（Ｓ０８：ＹＥＳ）、図９Ａのコンテンツ利用記述子１２００のダウンコンバード制限モード１２０７がダウンコンバート許可になっているか否かを判定する（Ｓ０９）。
【０１９９】
ダウンコンバートが許可されていないときには（Ｓ０９：ＮＯ）、コンテンツ送信装置は、内蔵あるいは外付けのモニタ画面にコンテンツが伝送できない旨のエラー表示をする（Ｓ１２）。
【０２００】
ダウンコンバートが許可されているときには（Ｓ０９：ＹＥＳ）、コンテンツ送信装置は、ダウンコンバートプログラムとダウンコンバート部４０４を用いてコンテンツの解像度や画面サイズ、輝度レンジなどを変更するダウンコンバート処理をし（Ｓ１０）、そのダウンコンバートしたコンテンツをエンコード部４０８で再圧縮したコンテンツをコンテンツ受信装置に伝送する。ここで、出力時に暗号化が必要な場合は、暗号／復号プログラムと暗号処理Ｉ４０７ｂを用いてコンテンツ受信装置との間で共有した鍵情報を元に暗号化を実施し、図７Ａで記載したフォーマットで送信する（Ｓ１１）。
ここで、コンテンツ送信指示Ｓ０３と機器認証処理Ｓ０４は、４Ｋ／８Ｋコンテンツか否かを判断するＳ０５の後で実施しても良い。
【０２０１】
次に、図１３により機器情報取得処理について説明する。なお、本処理はコンテンツ送信装置のＣＰＵ１０２と機器情報管理プログラム１６０、コンテンツ受信装置のＣＰＵ２０２と機器情報管理プログラム２４０を用いて実行する。
【０２０２】
コンテンツ送信装置は、コンテンツ受信装置に機器情報要求をする（Ｓ１００）。この際、コンテンツ送信装置は自身が備える複数のインタフェースと各種プロトコルを並行して使用しても良い。例えば、ＤＬＮＡの仕組みを用いて無線/有線LANと近距離無線部(Bluetooth)経由で機器情報を取得しながら、距離画像センサやカメラで取得した距離画像やカラー画像を用いてモニタ検出しても良い。
【０２０３】
コンテンツ受信装置は、その機器情報要求を受け、メーカ名／形式／デバイス種別などの情報を送信する（Ｓ１０２）。その他、メーカが提供するＵＲＬ（Uniform Resource Locater）を含んでも良い。
【０２０４】
次に、コンテンツ送信装置は、コンテンツ受信装置にデジタルインタフェース情報要求をする（Ｓ１０４）。
【０２０５】
コンテンツ受信装置は、そのデジタルインタフェース情報要求を受け、デジタルインタフェース情報を送信する（Ｓ１０６）。デジタルインタフェース情報は、例えば、ＨＤＭＩのときには、解像度、ＨＤＲサポートの有無、ＨＤＣＰのバージョン、入力端子の個数、出力端子の個数などであり、ＬＡＮのときには、暗号処理のバージョン、端子の個数、無線規格、速度などである。
【０２０６】
ここで、Ｓ１００とＳ１０４の情報要求は１つの要求に纏めても良い。また、Ｓ１００でメーカ名／型式／ＵＲＬの情報を取得した後、Ｓ１０４を発行する代わりに、有線/無線ＬＡＮを用いて各メーカが提供するＷｅｂ情報にアクセスし、詳細情報を取得する方法もある。
【０２０７】
次に、図１４により機器認証処理について説明する。なお、本処理はコンテンツ送信装置の認証部４０６と機器認証プログラム１５８、コンテンツ受信装置の認証部４２６と機器認証プログラム２３８を用いて実行する。
【０２０８】
本実施例では、先ず、コンテンツ受信装置がコンテンツ送信装置に対して認証要求する（Ｓ６０１）。認証要求処理では、コンテンツ受信装置は、前記したデバイスＩＤを含む機器固有の情報と、暗号処理のバージョン（暗号処理Ｉか暗号処理ＩＩの規格）と、機器固有の情報に対する証書を認証要求に付して、コンテンツ送信装置に送る。暗号処理のバージョンの代わりに、サービス種別（予め決められたサービスレベルや有料/無料など）やコンテンツ種別（ＳＤ／ＨＤ／Ｆｕｌｌ ＨＤ／ＵＨＤなどの解像度レベルやニュース/スポーツ/映画などのジャンル等）を含んでも良いし、所定のプロトコルで定義した設定値を含んでも良い。
【０２０９】
コンテンツ送信装置は、認証要求を受け取りその受信確認をコンテンツ受信装置に送る（Ｓ６０２）。その際、機器制御情報テーブル５２００内の認証機器数５２２１の値が機器情報定義テーブル５１００内の認証機器最大数５１０１未満であるか否かを確認し、認証機器最大数５１０１未満であれば以降の処理を継続し、認証機器最大数５１０１に達している場合はエラーの受信確認を送信した後に処理を終了する。
次に、コンテンツ受信装置が指定したる暗号処理が、暗号処理Ｉであるか暗号処理ＩＩであるかを確認し、使用する認証アルゴリズムを決定した後、自分の側からの認証要求を作成し、Ｓ６０１のコンテンツ受信装置の場合と同様にコンテンツ送信装置の固有情報とその証書を付してコンテンツ受信装置に送る（Ｓ６０３）。
【０２１０】
コンテンツ受信装置は、認証要求を受け取り、その受信確認をコンテンツ送信装置へ送る（Ｓ６０４）。
【０２１１】
次に、コンテンツ送信装置は、暗号処理Ｉあるいは暗号処理ＩＩの手順にしたがって受取った認証要求の各情報を検証し、暗号処理Ｉと暗号処理ＩＩで異なる鍵情報の生成に必要なパラメータを付した認証応答をコンテンツ受信装置に送る（Ｓ６０５）。
【０２１２】
コンテンツ受信装置は、認証応答を受け取りその受信確認をコンテンツ送信装置に送った（Ｓ６０６）後、自分の側からの認証応答を作成し、コンテンツ送信装置の場合と同様に鍵情報の生成に必要なパラメータを付した認証応答をコンテンツ送信装置に送り（Ｓ６０７）、必要なパラメータを用いてコンテンツ送信装置と共通の認証鍵を生成する。
【０２１３】
次に、コンテンツ送信装置は、認証応答を受け取りその受信確認をコンテンツ受信装置に送り（Ｓ６０８）、コンテンツ受信装置と同様に、必要なパラメータを用いてコンテンツ受信装置と共通の認証鍵を生成する。
その後、コンテンツ送信装置は、コンテンツ受信装置が宅内に存在する装置であるか確認するために、タイマーを起動した後、コンテンツ受信装置に対して宅内確認実行要求を送信する（Ｓ６１５）。これに対して、コンテンツ受信装置はその受信確認をコンテンツ送信装置へ送る（Ｓ６１６）。コンテンツ送信装置は、受信確認を受け取ると、前記タイマーを停止し、前記宅内確認実行要求を発行してから受信確認を受け取るまでの計測値（Ｔ１）が所定の値（Ｔ）を超えていないことを確認する。計測値（Ｔ１）≦所定の値（Ｔ）である場合、コンテンツ受信装置は宅内に存在し、個人的利用の範囲内に存在する装置であると判断する。一方、計測値（Ｔ１）＞所定の値（Ｔ）である場合は、コンテンツ受信装置は宅外に存在する可能性があると判断し、以降の処理を中断して機器認証処理を終了する。ここまでの手順で、コンテンツ送信装置の認証部４０６とコンテンツ受信装置の認証部４２６は、互いに共通の認証鍵が生成されて共有される。
【０２１４】
次に、コンテンツ送信装置は、コンテンツを暗号する際に使用する交換鍵を生成し、生成した認証鍵を用いて交換鍵を暗号化し、交換鍵を識別するためのＩＤと一緒にコンテンツ受信装置に送る（Ｓ６０９）。ここで、暗号処理Ｉと暗号処理ＩＩでは鍵長や演算方式が異なる交換鍵を生成するものとする。
【０２１５】
そして、コンテンツ受信装置は、前に生成した認証鍵を用いてコンテンツ送信装置から送信された交換鍵を復号し、受信確認を送る（Ｓ６１０）。
【０２１６】
次に、コンテンツ送信装置は、受信確認を受け取ると、図８Ｃに示した機器情報テーブル５３００にコンテンツ受信装置に関する情報を登録する（Ｓ６２１）。
【０２１７】
上記の図１４に示す処理手順によって、コンテンツ送信装置とコンテンツ受信装置は、互いに共通の交換鍵を共有できる。交換鍵は、交換鍵に関する付加情報と共に図８Ｂの機器制御情報テーブル５２００内の交換鍵５２２０に設定され、コンテンツを暗号化／復号化するための共通鍵を生成するために使用する。
【０２１８】
ここで、上記機器認証処理に成功した場合のみ、コンテンツ送信装置は、以降のコンテンツ暗号および出力を許可する。その際、暗号処理Ｉで暗号化が必要なコンテンツについては機器制御情報テーブル５２００内の同時アクセス数５２２２を、暗号処理ＩＩ暗号化が必要なコンテンツについては同時アクセス数（４Ｋ／８Ｋ）５２２３を参照し、これらの値が機器情報定義テーブル５１００内の同時アクセス最大数５１０３あるいは同時アクセス最大数（４Ｋ／８Ｋ）５１０４未満であるか否かを確認し、これらの値未満であることが確認できた場合のみ出力するものとする。
【０２１９】
また、コンテンツ送信装置は、Ｓ６０３で実施している認証アルゴリズムの決定をＳ６０１の認証要求を受信した後に実施しても良い。
【０２２０】
また、送信要求のあったコンテンツが４Ｋ／８Ｋコンテンツであり、ダウンコンバートが禁止されている場合に、上記Ｓ６０３でコンテンツ受信装置が指定した暗号処理が暗号処理Ｉであった時には、以降の処理を終了しても良い。
【０２２１】
次に、図１５および図１６によりスマートフォン１００がコンテンツ送信装置であるときのユーザインタフェースについて説明する。
図１２のＳ０２に示したコンテンツ機器情報表示の例として、図１５にスマートフォン１００がコンテンツ送信アプリケーション（以下、スマートフォン１００におけるアプリケーションソフトウェアを単に「アプリ」という）に、機器情報と送信する対象のコンテンツのタイトルが表示されている例が示されている。
【０２２２】
ユーザは、受信機器表示エリア７０１に表示される機器情報（メーカ／デバイス種別／形式／送信先のコンテンツサポート）を確認し、自身の指でタップすることにより、ラジオボタン７０３がマークされて、コンテンツの送信先を選択することができる。
【０２２３】
また、送信コンテンツ表示エリア７０２に表示されるコンテンツのタイトルを確認し、指でタップすることにより、選択することができる。それにより、選択されたコンテンツのタイトルが輝度表示される。
【０２２４】
そして、ユーザは、選択したコンテンツ受信装置に、選択したコンテンツのタイトルを送信するときには、送信ボタン７１０をタップする。
【０２２５】
また、別のコンテンツ送信時のユーザインタフェースとして、図１６に示されるように、コンテンツの視聴ができ、かつ、ビジュアルで直感的に操作しやすいユーザインタフェースが考えられる。
【０２２６】
スマートフォン１００は、視聴エリア８０１にコンテンツを再生する。視聴エリア８０１には、図に示されるように、制御バー８０２を付け加えることも可能である。
【０２２７】
また、受信装置表示エリア８１０には、スマートフォン１００の付近にあるデジタル機器がデジタル機器アイコン８１１として表示される。機器アイコン８１１には、付随情報として、距離８１２、コンテンツサポート情報８１３が表示される。
【０２２８】
機器情報の取得は、有線ＬＡＮ（Ethernet）、無線ＬＡＮ（Ｗｉｆｉ）、近距離通信（Bluetooth）などの通信手段により、図１３に示した機器情報取得処理によりおこなう。また、スマートフォン１００は、図２に示した距離画像センサ１４４により、近傍にあるデジタル機器の距離を求め、また、画像を取得して、機器の形や機器の型番表示文字などを画像認識し、予め用意している機器のテンプレート情報（図示せず）とマッチングすることより、メーカ名や形式を求めて、機器情報取得処理により取得したメーカ名や形式とマッチングさせることにより、デジタル機器アイコン８１１と実際のコンテンツ受信装置との対応をおこなうことができる。
【０２２９】
また、無線ＬＡＮ（Ｗｉｆｉ）、近距離通信（Bluetooth）などの電波強度の強弱により、距離を推定して、デジタル機器アイコン８１１と機器情報取得処理のコンテンツ受信装置を対応付けるようにしてもよい。
【０２３０】
さらに、コンテンツ送信装置の付近にはないが、Ｗｉｆｉの電波を受信して、通信可能である機器を確認するために、Ｗｉｆｉエリア８２０に、その機器種別と型番が表示される。
【０２３１】
ユーザがコンテンツをデジタル機器アイコン８１１で表示されているコンテンツ受信装置に送信したいときには、視聴エリア８０１をそのまま、その機器アイコン８１１にドラッグすればよい（８３０）。
【０２３２】
以上により、コンテンツ提供元は著作権を容易に確保しながら高品質なコンテンツをユーザに提供することができ、ユーザはコンテンツの個人利用の範囲を超えることなく、適切なモニタで適切なコンテンツを安全に視聴することができる。
【符号の説明】
【０２３３】
５…放送局、６…コンテンツ提供サーバ、７…基地局、１１…ハブ、１２…ルータ、２０…無線アクセスポイント、５０…タブレット、６０…インターネット、ＧＰＳ衛星、８０…有線ネットワーク網、１００…スマートフォン、２００…レコーダ内蔵テレビジョン受信機、３００…テレビジョン受信機、４００…ノートパソコン。
【図１】
2017138075.tif 000003
【図２】
2017138075.tif 000004
【図３】
2017138075.tif 000005
【図４】
2017138075.tif 000006
【図５】
2017138075.tif 000007
【図６】
2017138075.tif 000008
【図７Ａ】
2017138075.tif 000009
【図７Ｂ】
2017138075.tif 000010
【図７Ｃ】
2017138075.tif 000011
【図７Ｄ】
2017138075.tif 000012
【図８Ａ】
2017138075.tif 000013
【図８Ｂ】
2017138075.tif 000014
【図８Ｃ】
2017138075.tif 000015
【図９Ａ】
2017138075.tif 000016
【図９Ｂ】
2017138075.tif 000017
【図９Ｃ】
2017138075.tif 000018
【図１０】
2017138075.tif 000019
【図１１】
2017138075.tif 000020
【図１２】
2017138075.tif 000021
【図１３】
2017138075.tif 000022
【図１４】
2017138075.tif 000023
【図１５】
2017138075.tif 000024
【図１６】
2017138075.tif 000025
【国際調査報告】
2017138075.tif 000026
2017138075.tif 000027
2017138075.tif 000028
2017138075.tif 000029